(57)【特許請求の範囲】
【請求項１】
スラブの下面に設けられ、前記スラブ上に形成された居住空間の平面視における周囲４方のうち１方向側に配置された順梁と、
前記スラブの上面に設けられ、前記居住空間の平面視における周囲４方のうち他の３方向側に配置された３つの逆梁と、
前記順梁と対向する逆梁側のスラブ上方に配置され、前記スラブとの間に空間を形成する第１床と、
前記順梁側のスラブ上に配置され、前記第１床よりも下方に形成された第２床と、
を備え、
前記第１床は、床上に居室が形成され、前記３つの逆梁により支持され、
前記順梁と対向する前記逆梁は、前記居住空間の平面視において、前記居室とベランダとの間に配置され、
前記スラブは、前記第２床と前記順梁との間に配置された上面が、前記第２床よりも下方に配置された玄関の床面とされ、前記上面が、居住空間の平面視において前記第２床と隣接していることを特徴とする住宅構造。
【請求項２】
前記ベランダは、前記順梁と対向する前記逆梁に設けられ、前記第２床よりも高い位置に形成されたことを特徴とする請求項１に記載の住宅構造。
【発明の詳細な説明】
【技術分野】
【０００１】
本発明は、住宅構造に関する。
【背景技術】
【０００２】
住宅構造としては、特許文献１に開示される構造が公知である。特許文献１に開示される構造は、スラブ上に複数の逆梁を上向に一体に突設した逆梁構造において、四方を逆梁で囲まれる床下空間全域を物品収納室としている。
この構成によれば、床下の物品収納室に荷物を収納して、床上に設ける収納スペースを小さくできるので、床上の空間を広く使える。
【０００３】
【特許文献１】特開平１１−１４１１０１号公報
【発明の開示】
【発明が解決しようとする課題】
【０００４】
ここで、生活に使用される居住空間の無駄をなくし、居住空間のさらなる有効活用を図ることが望まれる。
本発明は、居住空間を無駄なく有効活用することを課題とする。
【課題を解決するための手段】
【０００５】
本発明の請求項１に係る住宅構造は、スラブの下面に設けられ、前記スラブ上に形成された居住空間の平面視における周囲４方のうち１方向側に配置された順梁と、前記スラブの上面に設けられ、前記居住空間の平面視における周囲４方のうち他の３方向側に配置された３つの逆梁と、前記順梁と対向する逆梁側のスラブ上方に配置され、前記スラブとの間に空間を形成する第１床と、前記順梁側のスラブ上に配置され、前記第１床よりも下方に形成された第２床と、を備え、前記第１床は、床上に居室が形成され、前記３つの逆梁により支持され、前記順梁と対向する前記逆梁は、前記居住空間の平面視において、前記居室とベランダとの間に配置され、前記スラブは、前記第２床と前記順梁との間に配置された上面が、前記第２床よりも下方に配置された玄関の床面とされ、前記上面が、居住空間の平面視において前記第２床と隣接していることを特徴とする。
【０００６】
この構成によれば、第１床とスラブとの間に、すなわち第１床の床下に空間が形成されるので、この床下の空間を収納などに用いることにより、居住空間を有効活用することができる。また、請求項１の構成では、スラブの上面に設けられた３つの逆梁を利用して第１床を支持し、第１床の床下に空間を形成することができる。このため、第１床を支持する束などの部材をなくす又は少なくでき、床下に大きい空間を形成することができる。
【０００７】
また、第２床は第１床よりも下方に形成されるので、第２床の床上に第１床の床上よりも広い空間が形成される。さらに請求項１の構成では、第２床は、順梁側に形成されているのでスラブの上面側へ出っ張りがなく、第２床の床上により広い空間を形成することができる。
【０００８】
このように、逆梁側に第１床を設けて第１床の床下に空間を形成すると共に、順梁側に第２床を設けて第２床の床上に空間を形成することにより、居住空間を無駄なく有効活用することができる。
【０００９】
本発明の請求項２に係る住宅構造は、請求項１の構成において、前記ベランダは、前記順梁と対向する前記逆梁に設けられ、前記第２床よりも高い位置に形成されたことを特徴とする。
なお、本発明の住宅構造は、前記第１床の床下に形成された床下物入と、前記第１床の床上に形成された居室と、前記第２床の床上に形成され、前記居室から移動可能な床上空間と、前記床上空間上に形成され、前記居室から移動可能なロフトと、を備えた構成としてもよい。
【００１０】
この構成によれば、第２床の床上の広い空間を床上空間とロフトとの２層に分けて使用する。
また、第１床の床下に物入を形成すると共に第１床の床上に居室を形成し、居室を通じて床上空間とロフトとを移動可能としている。これにより、居住空間をより効果的に有効活用することができる。
【発明の効果】
【００１１】
本発明は、上記構成としたので、居住空間を無駄なく有効活用できる。
【発明を実施するための最良の形態】
【００１２】
以下に、本発明に係る実施形態の一例を図面に基づき説明する。
（本実施形態に係る住宅構造の構成）
まず、本実施形態に係る住宅構造１０の構成を説明する。図１は、本実施形態に係る住宅構造１０の概略構成を示す平面断面図である。図２は、本実施形態に係る住宅構造１０の概略構成を示す側面断面図である。図３は、本実施形態に係る住宅構造１０の概略構成を示す正面断面図である。
【００１３】
なお、本実施形態に係る住宅構造１０として、集合住宅の１つの住戸における住宅構造を例に挙げて説明するが、本実施形態の構成は、戸建の住宅であっても適用可能である。
【００１４】
本実施形態に係る住宅構造１０は、図１、図２及び図３に示すように、スラブ１２と、スラブ１２を支持するための柱２１、柱２２、柱２３及び柱２４と、スラブ１２の上面に設けられた３つの逆梁１４Ａ、１４Ｂ、１４Ｃ（以下、３つの逆梁１４Ａ、１４Ｂ、１４Ｃをまとめて逆梁１４と示す）と、スラブ１２の下面に設けられた順梁１６と、を備えている。
【００１５】
スラブ１２上には、住戸に住む住人が生活に使用するための空間としての居住空間２０が形成されている。本実施形態では、居住空間２０は、略直方体に形成されており、平面視にて略正方形状の四角形状に形成されている。
【００１６】
なお、本実施形態では、居住空間２０は、住戸内に形成された空間であって、スラブ１２と、後述の天井５３と、後述の壁６１、壁６２、壁６３及び壁６４とによって囲まれた空間を指す。また、居住空間２０は、平面視において、長方形状、台形状などの四角形状や他の多角形状であってもよい。
【００１７】
柱２１、柱２２、柱２３及び柱２４は、居住空間２０の平面視における４隅側に配置されている（図１参照）。本実施形態では、柱２１及び柱２２は玄関側（外廊下側）に配置され、柱２３及び柱２４はベランダ側に配置されている。
【００１８】
柱２１と柱２２との間には壁６１が設けられ、柱２２と柱２４との間には壁６２が設けられ、柱２３と柱２４との間には壁６３が設けられ、柱２１と柱２３との間には壁６４が設けられている。
【００１９】
順梁１６は、スラブ１２上に形成された居住空間２０の平面視における周囲４方のうち１方向側に配置されている。本実施形態では、順梁１６は、玄関側（外廊下側）に配置されており、順梁１６の一端部が柱２１に接続され、他端部が柱２２に接続されている。
【００２０】
また、順梁１６は、壁６１の下方位置において、壁６１に沿って配置されている。なお、順梁１６は、平面視において、壁６１に対して、その外側に配置されていても良く、その内側に配置されていても良い。
【００２１】
逆梁１４は、居住空間２０の平面視における周囲４方のうち、順梁１６が配置された一方を除く他の３方向側に配置されている。本実施形態では、逆梁１４Ａは、ベランダ側に配置されており、逆梁１４Ａの一端部が柱２３に接続され、他端部が柱２４に接続されている。
【００２２】
また、逆梁１４Ｂは、ベランダと外廊下との間の浴室側に配置されており、逆梁１４Ｂの一端部が柱２１に接続され、他端部が柱２３に接続されている。さらに、逆梁１４Ｃは、ベランダと外廊下との間のトイレ側に配置されており、逆梁１４Ｃの一端部が柱２２に接続され、他端部が柱２４に接続されている。
【００２３】
また、逆梁１４は、それぞれ、壁６２、壁６３及び壁６４の下方位置において、壁６２、壁６３及び壁６４に沿って配置されている。なお、逆梁１４は、それぞれ、平面視において、壁６２、壁６３及び壁６４に対して、その外側に配置されていても良く、その内側に配置されていても良い。
【００２４】
スラブ１２は、その上から逆梁１４によって支持されると共に、スラブ１２の下から順梁１６によって支持されている。順梁１６と対向する逆梁１４Ａ側のスラブ１２上方には、スラブ１２との間に空間を形成する第１床３１が配置されている。
【００２５】
逆梁１４Ｂと逆梁１４Ｃとの間には、逆梁１４Ｂ及び逆梁１４Ｃの長手方向に沿って、スラブ１２上に設けられた中梁３４が配置されている。逆梁１４Ｂ、逆梁１４Ｃ及び中梁３４上には、その長手方向に交差する方向に沿って、複数のビーム３６が配置されている。ビーム３６は、逆梁１４Ｂから逆梁１４Ｃへ掛け渡されている。
【００２６】
第１床３１はビーム３６上に設けられている。本実施形態では、第１床３１を支持する束などの部材を用いず、ビーム３６にて第１床３１は支持されている。このように、第１床３１は、ビーム３６を介し、逆梁１４によって支持されている。なお、第１床３１を支持する束などの部材を用いた構成であってもよい。
【００２７】
本実施形態では、第１床３１の床下の空間（第１床３１とスラブ１２との間の空間）は、物品を収納可能な床下物入とされている。なお、第１床３１の床下の空間は、物品の収納を目的とした物入以外の用途に使用しても良い。
【００２８】
第１床３１には、床下の空間を開放可能とする開放部の一例としてのハッチ３８及びハッチ４０が設けられている。第１床３１の床上には、居室が形成されている。居室には、キッチン及び開閉部７６を有するクローゼットが設けられている。
【００２９】
一方、順梁１６側のスラブ１２上には、第１床３１よりも下方に形成された第２床３２が配置されている。この第２床３２と第１床３１は、階段５２によってつながっている。
【００３０】
第２床３２の床上には、居室から移動可能な床上空間４２が形成されている。床上空間４２には、玄関と各室をつなぐための通路と、トイレと、洗面所（脱衣所）と、浴室とが設けられている。
【００３１】
洗面所には、洗面化粧台、物入、洗濯パンが設けられている。また、浴室、洗面所及びトレイには、出入り口を開閉するための扉４４、４６、４８が設けられている。
【００３２】
床上空間４２上には、居室から移動可能なロフトが形成されている。床上空間４２は、居室の天井５３よりも低い天井５６が形成されており、その天井５６の上側にロフトが設けられている。このロフトへは、居室に設けられたはしご５０を上ることにより移動ができる。
【００３３】
第１床３１と第２床３２との間には、階段５２が形成されており、通路から居室へは、この階段５２によって移動することができる。階段５２の両側には、横壁５４が設けられている。この横壁５４は、例えば、１００ｃｍの高さに第１床３１から立ち上げられている。なお、この横壁５４は、形成されていなくても良い。
【００３５】
また、玄関には壁６１に玄関扉７２が設けられ、玄関脇には開閉部６８と有する靴箱が設けられている。さらに、壁６３には、窓等の開閉部７０が設けられている。
また、本実施形態では、ベランダは、逆梁１４Ａに設けられており、第１床３１と同様の高さに形成されている。一方、玄関及び外廊下は、順梁１６に設けられると共にスラブ１２の上面に形成されており、第２床３２と同様の高さに形成される。このため、ベランダよりも玄関側の高さが低くなり、ベランダにある開閉部７０から玄関側への採光性がよくなる。
【００３６】
（本実施形態の作用）
次に、上記の実施形態について作用を説明する。
【００３７】
本実施形態の構成によれば、第１床３１とスラブ１２との間に、すなわち第１床３１の床下に物入が形成されており、居住空間２０を有効活用することができる。また、本実施形態では、逆梁１４を利用して第１床３１を支持し、第１床３１の床下に空間を形成しており、第１床３１を支持する束などの部材をなくす又は少なくできるので、床下に大きい空間を形成することができる。
【００３８】
また、第２床３２は第１床３１よりも下方に形成されるので、第２床３２の床上に第１床３１の床上よりも広い空間が形成される。さらに本実施形態では、第２床３２は、順梁１６側に形成されているのでスラブ１２の上面側へ出っ張りがなく、第２床３２の床上により広い空間を形成することができる。
【００３９】
このように、逆梁１４Ａ側に第１床３１を設けて第１床３１の床下に空間を形成すると共に、順梁１６側に第２床３２を設けて第２床３２の床上に空間を形成することにより、居住空間２０を無駄なく有効活用することができる。
【００４０】
また、第１床３１の床下に物入を形成すると共に第１床３１の床上に居室を形成し、居室を通じて床上空間４２とロフトとを移動可能としている。これにより、居住空間２０をより効果的に有効活用することができる。
本発明は、上記の実施形態に限るものではなく、種々の変形、変更、改良が可能である。
【図面の簡単な説明】
【００４１】
【図１】図１は、本実施形態に係る住宅構造の概略構成を示す平面断面図である。
【図２】図２は、本実施形態に係る住宅構造の概略構成を示す側面断面図である。
【図３】図３は、本実施形態に係る住宅構造の概略構成を示す正面断面図である。
【符号の説明】
【００４２】
１０   住宅構造
１２   スラブ
１４   逆梁
１６   順梁
２０   居住空間
３１   第１床
３２   第２床
４２   床上空間
【要約】
【課題】居住空間を無駄なく有効活用できる。
【解決手段】逆梁１４Ａ側に第１床３１を設けて第１床３１の床下に空間を形成すると共に、順梁１６側に第２床３２を設けて第２床３２の床上に空間を形成する。これにより、居住空間２０を無駄なく有効活用できる。
【選択図】図２【図１】
0004276282.tif 000002
【図２】
0004276282.tif 000003
【図３】
0004276282.tif 000004